(57)【要約】【課題】多様な表示内容についてより分かりやすい表示を行うことのできる電子時計を提供する。【解決手段】電子時計１は、回転可能な回転板１８を有し、回転板１８の回転角度範囲内で所定の角度ごとに同一の表示内容が３つ並列に表示されて、表示内容が回転板１８の回転に応じて変化する表示パターンを回転板１８の回転に応じて３回周期的に出現させる回転板１８及び小窓７とからなる第１の表示部と、制御部と、を備える。制御部は、表示パターン内に含まれるいずれかの表示内容の表示を行わせる場合に、３回の表示パターンの各々における表示内容に応じた回転位置のうちいずれかを選択して、選択された回転位置へ回転板１８を回転動作させる。【選択図】図１
2019052881.tif 000002
【特許請求の範囲】
【請求項１】
回転可能な第１の可動部を有し、当該第１の可動部の回転角度範囲内で所定の角度ごとに同一の表示内容が２以上の所定数個並列に表示されて、当該表示内容が前記第１の可動部の回転に応じて変化する表示パターンを当該第１の可動部の回転に応じて前記所定数回周期的に出現させる第１の表示部と、
制御部と、
を備え、
前記制御部は、前記表示パターン内に含まれるずれかの前記表示内容の表示を行わせる場合に、前記所定数回の前記表示パターンの各々における前記表示内容に応じた回転位置のうちいずれかを選択して、当該選択された回転位置へ前記第１の可動部を回転動作させる
ことを特徴とする電子時計。
【請求項２】
前記表示パターンに応じた標識が前記所定数周期的に設けられた固定部を備え、
前記第１の可動部は、前記所定数回の前記表示パターンの各々における同一の位相範囲に係る前記標識を選択的に表示させる選択表示部を有する
ことを特徴とする請求項１記載の電子時計。
【請求項３】
前記表示パターンの表示間隔に応じた間隔で設けられた選択指示部を有する固定部を備え、
前記第１の可動部は、前記表示パターンに応じた標識が前記所定数周期的に設けられた回転板であり、
前記制御部は、前記第１の可動部と前記選択指示部との相対位置関係に応じて定まる前記表示内容の表示を行わせることを特徴とする請求項１記載の電子時計。
【請求項４】
前記選択指示部は、前記回転板における前記所定数回の前記表示パターンの各々における同一の位相範囲に係る前記標識を選択的に表示させることを特徴とする請求項３記載の電子時計。
【請求項５】
回転可能に設けられた第２の可動部の回転位置に応じた内容の表示を行う第２の表示部を備え、
前記制御部は、前記第２の表示部による表示内容のうち周期的に変化する少なくとも一部の所定周期を前記第１の表示部による前記表示パターンの一周期に対応付けて当該第１の表示部により表示させる
ことを特徴とする請求項１〜４のいずれか一項に記載の電子時計。
【請求項６】
前記制御部は、前記第２の表示部により所定の計数時間に応じた表示を行わせる場合に、当該表示の内容のうち少なくとも一部と対応する表示を前記第１の表示部により行わせることを特徴とする請求項５記載の電子時計。
【請求項７】
前記所定の計数時間には、予め定められた地域での時刻が含まれることを特徴とする請求項６記載の電子時計。
【請求項８】
前記制御部は、前記第２の表示部による表示の内容の変更動作に応じて前記第１の表示部による表示の内容の変更動作を行わせ、前記第１の可動部の当該変更動作に要する時間が前記第２の表示部による表示内容の変更動作に要する時間より長い場合には、前記第２の表示部による表示内容の変更終了の前後で前記第１の可動部の回転動作の速度を変化させることを特徴とする請求項５〜７のいずれか一項に記載の電子時計。
【請求項９】
前記制御部は、前記第１の表示部による表示内容に応じた前記所定数回の前記表示パターンの各々における回転位置のうち、前記第１の可動部が現在の回転位置から予め定められた回転方向で最先に到達する回転位置に当該第１の可動部を回転動作させることを特徴とする請求項１〜８のいずれか一項に記載の電子時計。
【請求項１０】
前記制御部は、前記第１の表示部による表示内容に応じた前記所定数回の前記表示パターンの各々における回転位置のうち、前記第２の表示部の表示内容の変更動作に係る前記第２の可動部の回転方向とは反対向きの回転方向で、前記第１の可動部が現在の回転位置から最先に到達する回転位置に当該第１の可動部を回転動作させることを特徴とする請求項５〜８のいずれか一項に記載の電子時計。
【発明の詳細な説明】
【技術分野】
【０００１】
この発明は、電子時計に関する。
【背景技術】
【０００２】
従来、回転可能に設けられた指針や回転板などの回転部材を用いてその回転角度を変化させることにより日時やその他の各種情報を表示する電子時計がある。これらの回転部材を複数用いることで、種々の表示を並列的に行うことができる。
【０００３】
表示対象の各種情報としては、世界の所定の地域における現在時刻、ストップウォッチ機能に係る計測時間やアラーム報知時刻などの時間に係る値、曜日、表示機能の種別やアラーム報知動作のオンオフといった各種設定などが挙げられる。また、秒未満の時間などの高精度な表示を行う場合に、副尺を用いて各回転部材の移動量を抑えながら正確な表示を見やすく行う技術が知られている（特許文献１）。
【先行技術文献】
【特許文献】
【０００４】
【特許文献１】特表２００４−５０６１７５号公報
【発明の概要】
【発明が解決しようとする課題】
【０００５】
しかしながら、多機能に係る表示を行う場合に、単純に回転部材を特定の移動先へ移動させるだけでは、表示の変化が簡素であり分かりづらいという課題がある。
【０００６】
この発明の目的は、より分かりやすい表示を行うことのできる電子時計を提供することにある。
【課題を解決するための手段】
【０００７】
上記目的を達成するため、本発明は、
回転可能な第１の可動部を有し、当該第１の可動部の回転角度範囲内で所定の角度ごとに同一の表示内容が２以上の所定数個並列に表示されて、当該表示内容が前記第１の可動部の回転に応じて変化する表示パターンを当該第１の可動部の回転に応じて前記所定数回周期的に出現させる第１の表示部と、
制御部と、
を備え、
前記制御部は、前記表示パターン内に含まれるずれかの前記表示内容の表示を行わせる場合に、前記所定数回の前記表示パターンの各々における前記表示内容に応じた回転位置のうちいずれかを選択して、当該選択された回転位置へ前記第１の可動部を回転動作させる
ことを特徴とする電子時計である。
【発明の効果】
【０００８】
本発明に従うと、電子時計において、多様な表示内容についてより分かりやすい表示を行うことができるという効果がある。
【図面の簡単な説明】
【０００９】
【図１】本実施形態の電子時計の正面図である。
【図２】電子時計の機能構成を示すブロック図である。
【図３】小窓と回転板とを別個に示した図である。
【図４】回転板の回転状態に応じた表示状態の変化を示す図である。
【図５】バッテリ残量表示処理の制御手順を示すフローチャートである。
【図６】副指針の動作に応じた回転板の動作に係る回転板動作制御処理の制御手順を示すフローチャートである。
【図７】回転板動作制御処理の制御手順の他の例を示すフローチャートである。
【図８】変形例１の周期パターン表示に係る構成を説明する図である。
【図９】変形例２の周期パターン表示に係る構成を説明する図である。
【図１０】変形例３の周期パターン表示に係る構成を説明する図である。
【図１１】変形例４の周期パターン表示に係る構成を説明する図である。
【発明を実施するための形態】
【００１０】
以下、本発明の実施の形態を図面に基づいて説明する。
図１は、本実施形態の電子時計１の正面図である。
また、図２は、電子時計１の機能構成を示すブロック図である。
【００１１】
この電子時計１は、図１に示すように、上下両端に取り付けられる図示略のバンドによりユーザの腕に装着される腕時計型のものであり、フレーム２と、フレーム２の内部に設けられた文字盤３と、文字盤３の表示面側（上面側）に配置された秒針１１、分針１２、時針１３、機能針１４、副分針１５、副時針１６、副２４時間針１７及び回転板１８（第１の可動部）と、文字盤３の表示面とは反対側（下面側）に配置された日車１９と、フレーム２の側面に設けられた押しボタンスイッチＢ１〜Ｂ４及びりゅうずＣ１とを備える。以降、秒針１１、分針１２、時針１３、機能針１４、副分針１５、副時針１６、副２４時間針１７、回転板１８及び日車１９の一部又は全部をまとめて指針１１〜１９のようにも記す。
【００１２】
文字盤３及び指針１１〜１８の上方は、図示略の透明な風防ガラスで覆われている。また、日車１９の下面（文字盤３に対向する面とは反対側）のフレーム２内には、電子時計１の駆動制御に係る各構成及び電源部が設けられ、裏蓋で覆われている。
【００１３】
文字盤３には、時刻や他の種々の機能に係る表示を行うための目盛や標識が設けられている。また、３時３０分の方向には、開口部３ａが設けられ、日車１９上の日付標識が選択的に露出可能となっている。また、文字盤３には、小窓４〜７が設けられている。
【００１４】
指針１１〜１９は、それぞれ回転動作することで文字盤３（標識や目盛）に対する位置関係により予め定められた表示内容を示す指示動作を行う。指針１１〜１７が指し示す方向や回転板１８及び日車１９の回転位置（小窓７から露出される模様や開口部３ａから露出される標識）に応じた内容を表示する。
秒針１１、分針１２及び時針１３は、文字盤３の略中央を回転軸として、それぞれ文字盤３に平行な面内で回転可能に設けられている。これらの指針１１〜１４は、文字盤３の周縁部に設けられた時刻を表示するための目盛や標識に対する位置関係によりそれぞれ時、分、秒を表示する。日車１９は、文字盤３の下面側に当該文字盤３と平行に設けられた回転可能な円盤部材（中央に孔部が設けられた円環状を含む）であり、一の円周上に日付を示す「１」〜「３１」の日付標識が所定間隔で順番に設けられている。日車１９が回転動作されることにより、これらの日付標識のうちの一つが開口部３ａから選択的に露出されることで、指針１１〜１４により示される時刻と対応する日の情報が示される。
【００１５】
秒針１１は、複数の歯車列である輪列機構６１を介して伝えられるステッピングモータ５１のステップ動作に応じて所定の角度ずつ回転動作する。秒針１１は、時刻の表示に用いられるとともに、アラーム報知動作のオンオフ切替設定表示（文字盤３の８秒及び１２秒の位置に設けられた「ＯＮ」、「ＯＦＦ」の標識）、分針１２及び時針１３により示される時刻の午前午後を示す表示（文字盤３の１８秒及び２２秒の位置に設けられた「Ａ」、「Ｐ」の標識）や、地方時設定の際のタイムゾーンの設定（図示しないが、文字盤３の周縁部やベゼルなどに地方時に対応する都市名や地域名の標識を設けることができる）などに用いられ得る。
【００１６】
分針１２及び時針１３は、輪列機構６２を介して伝えられるステッピングモータ５２のステップ動作に応じ、それぞれ所定の角度ずつ回転動作する。１ステップ当たりの時針１３の回転角度は、分針１２の回転角度の１／１２となっており、分針１２が６０分で３６０度（一周）移動するごとに、時針１３が１時間に対応する３０度移動する。
【００１７】
機能針１４は、文字盤３の１２時方向に設けられた小窓４の内部で回転可能に設けられている。機能針１４は、曜日や本実施形態の電子時計１で実行可能な機能の実行状態を示す表示を行うための指針である。実行可能な機能としては、アラーム報知機能、ストップウォッチ機能及びタイマ機能が示されている。機能針１４は、輪列機構６３を介し、ステッピングモータ５３のステップ動作に応じて所定の角度ずつ回転動作する。
【００１８】
日車１９は、機能針１４に連動して回転し、開口部３ａから露出される日付標識を１日分変化させることで日付の表示を行う。機能針１４は、通常の表示動作では一周以上の移動を行わず、機能針１４の指示位置の変更に伴って日車１９により表示される日付の標識はほとんど移動しない。一方で、開口部３ａから露出させる日付標識を変更する場合には、機能針１４を所定の複数回周回移動させる。
【００１９】
副分針１５及び副時針１６は、文字盤３の６時方向に設けられた小窓５の内部で回転可能に設けられている。また、副２４時間針１７は、小窓５の１時３０分方向に設けられた小窓６の内部で回転可能に設けられている。これらの副分針１５、副時針１６及び副２４時間針１７（まとめて副指針１５〜１７などとも記す；第２の可動部）は、上述の指針１１〜１４により示される時刻とは異なる地域の時刻（世界時計）を同時に表示させるためのものである。また、これらの副指針１５〜１７は、ストップウォッチ機能やタイマ機能の実行時に、計測時間や残り時間を示すのに用いられる。また、副指針１５〜１７は、アラーム報知時刻の設定表示にも用いられ得る。副指針１５〜１７と小窓５とにより本実施形態の電子時計１における第２の表示部が構成される。
【００２０】
副分針１５、副時針１６及び副２４時間針１７は、輪列機構６４を介して伝えられるステッピングモータ５４のステップ動作に応じてそれぞれ所定の角度ずつ回転動作する。副時針１６の１ステップ当たりの回転角度は、副分針１５の回転角度の１／１２となっている。また、副２４時間針１７の１ステップ当たりの回転角度は、副時針１６の回転角度の１／２となっている。
【００２１】
回転板１８は、文字盤３の９時方向に設けられた小窓７（固定部）の内部で３６０度（回転範囲）回転可能に設けられている。回転板１８は、各種割合表示を行う場合などに用いられ、輪列機構６５を介して伝えられるステッピングモータ５５のステップ動作に応じて所定角度、例えば、１度ずつ回転動作する。
図３は、小窓７と回転板１８とを別個に示した図である。
また、図４は、回転板１８の回転状態に応じた表示状態の変化を示す図である。
【００２２】
図３（ａ）に示すように、小窓７には、１２０度ずつ６０度幅の３つのエリア標識７ａ（標識）が定められて、他の領域と異なる色や模様パターンで着色されている。
【００２３】
図３（ｂ）に示すように、回転板１８は、６０度幅の３枚の羽形１８ａがそれぞれ６０度幅（１２０度の範囲で示される表示パターンにおける同一の位相範囲）の間隙１８ｂ（選択表示部）を挟んで１２０度ごとに設けられたものである。これらの羽形１８ａは、小窓７内のエリア標識７ａの平面視形状と同一である。なお、３つの間隙１８ｂは、透明部材で覆われていてもよい。また、３つの羽形１８ａの外周部分をつなぐ外枠が設けられていなくてもよい。
これら小窓７と回転板１８とにより本実施形態の第１の表示部が構成される。
【００２４】
図４（ａ）に示すように、羽形１８ａが小窓７内のエリア標識７ａと完全にずれた（入れ違いの）状態では、エリア標識７ａが間隙１８ｂから全て露出される。羽形１８ａが小窓７内で回転していくと、図４（ｂ）、（ｃ）のように、３つのエリア標識７ａがそれぞれ３つの羽形１８ａにより覆い隠されてゆき、６０度の回転で図４（ｄ）に示すようにエリア標識７ａが完全に羽形１８ａの下方に隠される。
【００２５】
回転板１８がさらに回転していくと、図４（ｅ）、（ｆ）などに示すように、回転板１８の羽形１８ａにより隠されたエリア標識７ａが再び徐々に現れて、当初位置から１２０度の回転で、図４（ｇ）に示すように、再びエリア標識７ａが全て露出された状態に戻る。回転板１８の３６０度の回転により、このような表示状態（並列に表示される３つの同一の表示内容）の変化（表示パターン）が３回（２以上の所定数回）周期的に繰り返される（出現する）。
【００２６】
ここでは、ステッピングモータ５１〜５５は、それぞれ指針１１〜１９を正転方向に最大で２００ｐｐｓ（Pulses per Second）、逆転方向に最大で９０ｐｐｓで早送り移動させることができる。
【００２７】
押しボタンスイッチＢ１〜Ｂ４及びりゅうずＣ１は、操作受付部４７が備える外部からの入力操作を受け付ける構成である。押しボタンスイッチＢ１〜Ｂ４は、外部からの押下操作を受け付ける。りゅうずＣ１は、初期位置から引き出された状態で回転操作を受け付ける。操作受付部４７は、これら押しボタンスイッチＢ１〜Ｂ４の押下操作、並びにりゅうずＣ１の引き出し、押し戻し及び回転操作を検出して、操作種別に応じた入力信号をＣＰＵ４１に出力する。
【００２８】
電子時計１は、上述の各構成に加えて駆動制御に係る構成として、図２に示すように、ＣＰＵ４１と、ＲＡＭ４２（Random Access Memory）と、発振回路４３と、分周回路４４と、計時回路４５と、ＲＯＭ４６（Read Only Memory）と、報知動作部４８と、モータ駆動回路５０と、電力供給部７０などを備える。これらの構成間では、バス３０を介して互いにコマンドやデータのやり取りが行われる。
【００２９】
ＣＰＵ４１は、各種演算処理を行い、電子時計１の全体動作を統括制御する。ＣＰＵ４１は、通常の時刻表示状態では、指針１１〜１３により計時回路４５が計数する日時に応じた時刻を表示させ、また、機能針１４及び日車１９により曜日と日付の表示を行わせる。また、ＣＰＵ４１は、ストップウォッチ機能、タイマ機能、アラーム報知機能などの実行される各種機能に応じた制御を行うプログラムを呼び出して実行する。
【００３０】
ＲＯＭ４６は、電子時計１の動作制御に係るプログラム４６１や初期設定データを格納する。ＲＯＭ４６には、上書き更新が可能なフラッシュメモリなどの不揮発性メモリが含まれていてもよく、この場合には、設定の変更、更新などに応じて適宜追記され、及び／又は書き換えられればよい。
【００３１】
ＲＡＭ４２は、ＣＰＵ４１に作業用のメモリ空間を提供し、一時データや更新可能な設定データを記憶する揮発性メモリである。この更新可能な設定データには、ユーザの所在地に係る所在位置情報などを含む地方時設定４２１が含まれる。また、設定データには、アラーム報知動作のオンオフや報知時刻などが含まれる。
これらＣＰＵ４１及びＲＡＭ４２は、本実施形態の電子時計１のプロセッサであり、制御部４０ａを構成する。
【００３２】
発振回路４３は、所定の周波数信号を生成して分周回路４４に出力する。発振回路４３には、例えば、水晶発振子などが用いられる。
分周回路４４は、発振回路４３から入力された所定の周波数信号を分周してＣＰＵ４１などが動作に用いる周波数信号（クロック信号）に変換して出力する。この変換先の周波数は、ＣＰＵ４１からの制御命令などに応じて変更可能とされてもよい。
【００３３】
計時回路４５は、分周回路４４から入力されたクロック信号に基づいて現在の日時を計数保持する。この計時回路４５が保持する日時は、電子時計１独自のフォーマットで数値を計数するものであってもよいし、あるいは、ＵＴＣ日時などの基準となる日時を年月日時分秒の形で保持しているものであってもよい。
ＣＰＵ４１、ＲＡＭ４２、発振回路４３、分周回路４４及び計時回路４５は、単一のＩＣチップ（マイコン４０）上に配置され得る。なお、発振回路４３に用いられる水晶発振子は、マイコン４０に対して外付けされてよい。
【００３４】
操作受付部４７は、押しボタンスイッチＢ１〜Ｂ４の押下状態やりゅうずＣ１の引き出し操作、回転操作及び押し戻し操作を各々検知し、電気信号に変換してＣＰＵ４１に出力する。
【００３５】
報知動作部４８は、ＣＰＵ４１からの制御信号に応じてユーザに所定の報知動作を行う。報知動作部４８は、例えば、ビープ音を発生するビープ音発生部や、振動を発生する振動発生部などを有する。ビープ音発生部や振動発生部には、それぞれ、圧電素子やおもり付きモータなど周知の構成が用いられ得る。
【００３６】
モータ駆動回路５０は、ＣＰＵ４１から入力された制御信号に応じてステッピングモータ５１〜５５をそれぞれ駆動してステップ動作（ロータを所定角度回転動作）させるための駆動電圧パルスを適切なタイミング及びパルス幅で出力する。駆動電圧パルスの幅は、ＣＰＵ４１からの制御信号により適宜調節されることが可能となっている。また、複数のステッピングモータを同時に駆動する制御信号が入力された場合には、モータ駆動回路５０は、電子時計１の最大負荷に応じて問題が生じない範囲で適宜駆動タイミングをずらして駆動電圧パルスを出力する。
【００３７】
電力供給部７０は、バッテリ７１の電力を各部に供給する。バッテリ７１は、電子時計１が有するソーラパネル及び当該ソーラパネルによる発電電力を蓄える蓄電池であってもよいし、電力供給部７０に着脱可能とされる乾電池（ボタン型電池など）であってもよい。
【００３８】
次に、本実施形態の電子時計１における表示動作について説明する。
電子時計１では、回転板１８を用いてバッテリ７１の蓄電池の供給可能な残り電力量（残量）の表示が行われる。
【００３９】
ＣＰＵ４１が電力供給部７０からの出力電圧値などを用いてバッテリ７１の供給可能な残量を取得し、バッテリ７１の蓄電可能量（容量）に対する残量の比率に応じた割合でエリア標識７ａが露出される（露出率）ように回転板１８を回転動作させる。ここでは、エリア標識７ａよりも時計回り方向にエリア標識７ａ外の部分が続くように（図４（ｂ）、（ｃ）など）表示がなされる。このとき、露出率に応じた羽形１８ａの位置（表示パターン内に含まれるいずれかの表示内容に応じた回転位置）は、３６０度の範囲内で上述のように３か所あるが、表示動作開始位置から最も近い位置、正転方向（時計回り方向）について最も近い位置、又は対応する指針の移動方向に応じて定まる回転方向（予め定められた回転方向）について最も近い位置（最先に到達する回転位置）が選択されて、羽形１８ａが移動される。あるいは、回転板１８は、上記回転方向について表示動作開始位置から２番目の距離の位置まで羽形１８ａが移動されるように回転動作がなされてもよい。このように、１２０度の追加の回転動作により、必要以上に動作時間を延ばさずに表示動作をよりダイナミックに行うことが可能となる。
【００４０】
図５は、本実施形態の電子時計１で実行されるバッテリ残量表示処理の制御部４０ａ（ＣＰＵ４１）による制御手順を示すフローチャートである。
このバッテリ残量表示処理は、残量表示命令に係る所定の入力操作が操作受付部４７により受け付けられることで開始される。
【００４１】
バッテリ残量表示処理が開始されると、制御部４０ａ（ＣＰＵ４１）は、電力供給部７０から出力電圧の値を取得する（ステップＳ１０１）。制御部４０ａは、出力電圧値に基づいてバッテリ残量を取得する（ステップＳ１０２）。この出力電圧値とバッテリ残量との関係は、単純に換算テーブルなどをＲＯＭ４６に保持して換算するだけのものであってもよいし、温度条件や使用時間（バッテリ７１の劣化状況など）に応じて補正を行ったものであってもよい。また、バッテリ残量のステップ数は、適宜定められる。すなわち、ステップ数は、３段階程度（ＨＩＧＨ、ＭＩＤＤＬＥ、ＬＯＷ）であってもよいし、動作可能な下限値以上１００％以下の各数値（整数値）に対応してもよい。また、動作可能な残り時間に応じた表示（すなわち、動作可能な下限値の容量で値が「０」）が行われてもよい。
【００４２】
制御部４０ａは、バッテリ残量に応じた回転板１８の位置（角度位置）を３か所算出する（ステップＳ１０３）。制御部４０ａは、現在の回転板１８の位置を取得する（ステップＳ１０４）。制御部４０ａは、算出された３か所の回転板１８の位置のうち正転方向について現在の位置に最も近いものを選択する（ステップＳ１０５）。制御部４０ａは、モータ駆動回路５０に制御信号を出力し、ステッピングモータ５５を連続動作させて回転板１８を選択された位置まで早送り移動させる（ステップＳ１０６）。そして、制御部４０ａは、バッテリ残量表示処理を終了する。なお、制御部４０ａは、バッテリ残量の表示状態を適宜な継続時間維持させることができる。
【００４３】
また、電子時計１では、時刻表示の分値（周期的に変化する少なくとも一部）の切り替わり（１分ごと）又は分針１２の動き（１０秒ごと）に合わせてエリア標識７ａの露出率を切り替えて表示させることができる。例えば、偶数時の０分では、エリア標識７ａが全て隠された状態（図４（ｄ））とされ、１分又は１０秒ごとに回転板１８の回転に応じて徐々にエリア標識７ａが露出されて（図４（ｅ）、（ｆ））、６０分後の奇数時の０分でエリア標識７ａが全て露出される（図４（ｇ）、（ａ））。その後、奇数時には、６０分間の間に回転板１８の回転に応じて徐々にエリア標識７ａが覆い隠され（図４（ｂ）、（ｃ））、偶数時の０分に再びエリア標識７ａが全て覆い隠される（図４（ｄ））。すなわち、ここでは、６０分の時刻変化２周期（所定周期）に対応付けられてエリア標識７ａの露出状態が１周期変化する。
【００４４】
この場合には、単純に分針１２の動作と同時に、又は分針１２を正分位置（毎分０秒の位置）に移動させる動作と同時に回転板１８を動作させるように、制御部４０ａ（ＣＰＵ４１）は、モータ駆動回路５０に対して制御信号を出力する。回転板１８は、この動作により６時間（３周期）で１周３６０度回転する。
【００４５】
なお、分の値は、多くの地域で同一であり、指針１１〜１３による表示時刻の分値（分針１２）にも対応して回転板１８による表示が行われることになる。しかしながら、ＵＴＣ（協定世界時）に対して時間単位の時差を含む地域で１５分や３０分の時差を含む地域の世界時計機能に係る表示を行っている場合には、当該世界時計の分値に合わせて指針１１〜１３（分針１２）とは異なる位相で回転板１８による表示が行われる。
【００４６】
また、電子時計１では、副指針１５〜１７の表示内容に応じて回転板１８の表示を切り替えることもできる。副指針１５〜１７により世界時計に係る日時（予め定められた地域での時刻）が表示されている場合は、上述のように分値に応じた表示を行う。ストップウォッチ機能に係る経過時間（所定の計数時間）の計測中には、当該経過時間の分値に応じた表示を行う。タイマ機能に係る設定時間の計測中には、計測の残り時間の分値に応じた表示を行う。また、アラーム報知動作の設定時や設定表示時には、動作のオンオフに係る設定に応じてエリア標識７ａを露出又は非露出で切り替える。これら、世界時計機能、ストップウォッチ機能、タイマ機能及びアラーム報知機能に係る表示は、ここでは、いずれも副分針１５や秒針１１による表示と併用されるものであって、回転板１８の角度位置（エリア標識７ａの露出率）の正確な読み取りが必須なものではなく、装飾目的を含んだ動作である。
【００４７】
図６は、電子時計１において副指針１５〜１７の動作（表示内容の変更動作）に応じた回転板１８の動作に係る回転板動作制御処理の制御部４０ａ（ＣＰＵ４１）による制御手順を示すフローチャートである。
【００４８】
この回転板動作制御処理は、副指針１５〜１７の動作命令（すなわち、ステッピングモータ５４の動作命令）の設定（又は、表示される時間の分値の切り替わり）に応じて呼び出されて実行される。
回転板動作制御処理が開始されると、制御部４０ａ（ＣＰＵ４１）は、世界時計機能の実行中であるか否かを判別する（ステップＳ２０１）。世界時計機能の実行中であると判別された場合には（ステップＳ２０１で“ＹＥＳ”）、制御部４０ａは、世界時計の現在時刻に応じた回転板１８の位置を設定する（ステップＳ２１１）。ここでは、制御部４０ａは、上述の３か所のうち前回の設定位置から正転方向について最も近い位置（最先に到達する回転位置）を選択する。それから、制御部４０ａの処理は、ステップＳ２２１に移行する。
【００４９】
世界時計機能の実行中ではないと判別された場合には（ステップＳ２０１で“ＮＯ”）、制御部４０ａは、ストップウォッチ機能の実行中であるか否かを判別する（ステップＳ２０２）。ストップウォッチ機能の実行中であると判別された場合には（ステップＳ２０２で“ＹＥＳ”）、制御部４０ａは、計測中の経過時間に応じた回転板１８の位置を設定する（ステップＳ２１２）。前回の設定位置もストップウォッチ機能に係る位置であった場合、制御部４０ａは、前回の設定位置から正転方向（時計回り）に設定位置を変化させる。それから、制御部４０ａの処理は、ステップＳ２２１に移行する。
【００５０】
ストップウォッチ機能の実行中ではないと判別された場合には（ステップＳ２０２で“ＮＯ”）、制御部４０ａは、タイマ機能の実行中であるか否かを判別する（ステップＳ２０３）。タイマ機能の実行中であると判別された場合には（ステップＳ２０３で“ＹＥＳ”）、制御部４０ａは、設定時間の計測残り時間に応じた回転板１８の位置を設定する（ステップＳ２１３）。前回の設定位置もタイマ機能に係る位置であった場合、制御部４０ａは、前回の設定位置から逆転方向（反時計回り）に設定位置を変化させる。それから、制御部４０ａの処理は、ステップＳ２２１に移行する。
【００５１】
タイマ機能の実行中ではないと判別された場合には（ステップＳ２０３で“ＮＯ”）、制御部４０ａは、アラーム報知機能に係る設定の実行中であるか否かを判別する（ステップＳ２０４）。アラーム報知機能に係る設定の実行中であると判別された場合には（ステップＳ２０４で“ＹＥＳ”）、制御部４０ａは、アラーム報知動作のオンオフ切替設定に応じた設定位置を定める（ステップＳ２１４）。ここでは、例えば、制御部４０ａは、オン設定時には正転方向について最短の位置を設定位置とし、オン設定時には逆転方向について最短の位置を設定位置とする。それから、制御部４０ａの処理は、ステップＳ２２１に移行する。
【００５２】
ステップＳ２０４の判別処理で、アラーム報知機能に係る設定の実行中ではないと判別された場合には（ステップＳ２０４で“ＮＯ”）、制御部４０ａは、回転板動作制御処理を終了する。
【００５３】
ステップＳ２１１〜Ｓ２１４のいずれかの処理からステップＳ２２１の処理に移行すると、制御部４０ａは、モータ駆動回路５０に制御信号を出力して、回転板１８を定められた設定位置に回転移動させる（ステップＳ２２１）。回転移動の速度は、逆転移動の速度に合わせて９０ｐｐｓとすることができる。制御部４０ａは、設定された副指針１５〜１７の移動命令に係る制御信号の出力と略同時にこの制御信号の出力を行うことができる。また、逆転移動を行わせる場合、輪列機構６４、６５などにおける複数の歯車間の遊びに応じた指針１５〜１８の空回りの解消動作（バックラッシュの調整）を行う必要がある場合があるが、この動作については、副指針１５〜１７と回転板１８とで連動させる必要はない。例えば、副指針１５〜１７については、早送りの終了直後に必ず正転方向への回転に合わせて遊びを解消させておく一方、回転板１８については、このような処理を行わないこととしてもよい。また、両方で行う場合でもバックラッシュの調整に係る動作ステップ数をあわせる必要はない。そして、制御部４０ａは、回転板動作制御処理を終了する。
【００５４】
図７は、回転板動作制御処理の制御部４０ａによる制御手順の他の例を示すフローチャートである。
この回転板動作制御処理では、上述の回転板動作制御処理に対してステップＳ２２２〜Ｓ２２４の処理が追加され、また、ステップＳ２１１〜Ｓ２１３の処理がそれぞれステップＳ２１１ａ〜Ｓ２１３ａの処理に置き換えられている点を除いて同一であり、同一の処理内容には同一の符号を付して説明を省略する。
【００５５】
ここでは、副指針１５〜１７及び回転板１８の早送り動作がそれぞれ対応して複数ステップ行われる場合に、回転板１８の早送り速度を可変とする。また、上記の回転板動作制御処理では、世界時計機能及びストップウォッチ機能の実行中には、副指針１５〜１７の回転動作に連動して回転板１８を正転方向へ回転移動させ、タイマ機能の実行中には、回転板１８を逆転方向へ回転移動させることとしたが、これらとは逆回転の移動とすることができる。すなわち、このような動作によって、略同時に回転する副指針１５〜１７と回転板１８の回転方向が反対向きになる。この場合、回転板１８の回転に伴って露出されるエリア標識７ａとエリア標識７ａ外の位置関係が正転方向への回転の場合とは反対向き（例えば、図４（ｂ）が図４（ｆ）に）となる。
【００５６】
ステップＳ２０１の判別処理で“ＹＥＳ”に分岐すると、制御部４０ａは、世界時計の現在時刻に応じた回転板１８の位置を設定する（ステップＳ２１１ａ）。ここでは、制御部４０ａは、上述の３か所のうち前回の設定位置から逆転方向について最も近い位置（最先に到達する回転位置）が選択される。それから、制御部４０ａの処理は、ステップＳ２２１に移行する。
【００５７】
ステップＳ２０２の判別処理で“ＹＥＳ”に分岐すると、制御部４０ａは、計測中の経過時間に応じた回転板１８の位置を設定する（ステップＳ２１２ａ）。前回の設定位置もストップウォッチ機能に係る位置であった場合、制御部４０ａは、前回の設定位置から逆転方向に設定位置を変化させる。それから、制御部４０ａの処理は、ステップＳ２２１に移行する。
【００５８】
ステップＳ２０３の判別処理で“ＹＥＳ”に分岐すると、制御部４０ａは、設定時間の計測残り時間に応じた回転板１８の位置を設定する（ステップＳ２１３ａ）。前回の設定位置もタイマ機能に係る位置であった場合、制御部４０ａは、前回の設定位置から正転方向に設定位置を変化させる。それから、制御部４０ａの処理は、ステップＳ２２１に移行する。
【００５９】
ステップＳ２２１の処理ののち、制御部４０ａは、回転板１８の回転動作が終了したか否かを判別する（ステップＳ２２２）。終了したと判別された場合には（ステップＳ２２２で“ＹＥＳ”）、制御部４０ａは、回転板動作制御処理を終了する。
【００６０】
終了していないと判別された場合には（ステップＳ２２２で“ＮＯ”）、制御部４０ａは、副指針１５〜１７の回転動作が終了したか否かを判別する（ステップＳ２２３）。終了していないと判別された場合には（ステップＳ２２３で“ＮＯ”）、制御部４０ａの処理は、ステップＳ２２２に戻る。終了した（表示内容の変更終了；すなわち、副指針１５〜１７の回転動作に要する時間よりも回転板１８の回転動作に要する時間のほうが長い）と判別された場合には（ステップＳ２２３で“ＹＥＳ”）、制御部４０ａは、回転板１８の回転速度（回転動作の速度）を変更して（変化させて）モータ駆動回路５０に回転板１８の回転動作に係る制御信号を出力する（ステップＳ２２４）。変更後の速度は、特には限られないが、ここでは、変更前の速度よりも上昇させることとする。そして、制御部４０ａは、回転板動作制御処理を終了する。
【００６１】
［変形例］
次に、本実施形態の電子時計１における周期パターン表示に係る構成の変形例を示す。
図８は、変形例１の周期パターン表示に係る構成を説明する図である。
この変形例１では、図８（ａ）に示すように、小窓７には、１２０度ごと（表示パターンの表示間隔に応じた間隔）に設けられた６０度幅（同一の位相範囲）の羽形の開口部３ｂ（選択指示部、固定部）が３つ設けられており、また、その下方（文字盤３の裏面側）で回転する回転板１８１（図８（ｂ）；第１の可動部をなす回転板）が設けられている。回転板１８１の上面（表面側）には、１２０度ごと（表示パターンの表示間隔）に６０度幅の羽形の図形パターン１８１ａ（標識）が描かれている。この変形例１で電子時計では、回転板１８１及び開口部３ｂにより第１の表示部が構成される。
【００６２】
この変形例１では、回転板１８１が開口部３ｂに対して回転動作することで、図形パターン１８１ａと開口部３ｂの相対位置関係が変化し、当該相対位置関係に応じて開口部３ｂから選択的に露出される図形パターン１８１ａの割合を変化させる。このように、下方の回転板１８１が上方の固定された開口部３ｂに対して回転する場合でも、上記実施の形態と同様の表示を行わせることができる。
【００６３】
図９は、変形例２の周期パターンの表示に係る構成を説明する図である。
この変形例２では、図９（ａ）に示すように、小窓７には、９時方向に通常の円形の開口部３ｃが設けられており、その内部で文字盤３の下面側に設けられた回転板１８１（図９（ｂ））が回転動作する。開口部３ｃの周囲には、６０度ごとに６０度の間隔を空けて着色標識が設けられている。回転板１８１の表面（開口部３ｃから露出される面）には、１２０度ごとに３つの図形パターン１８１ａが描かれている。
【００６４】
なお、回転板１８１は、文字盤３の上面側に設けられていてもよく、この場合には、開口部３ｃは不要であって、文字盤３上に定められた小窓７の周縁部に着色標識が設けられればよい。また、この場合には、回転板１８１の代わりに上記実施形態と同様の回転板１８が設けられていてもよい。そして、回転板１８１の回転に応じた図形パターン１８１ａの位置と、着色標識との位置関係により表示が行われる。
【００６５】
図１０は、変形例３の周期パターンの表示に係る構成を説明する図である。
この変形例３では、図１０（ａ）に示すように、上記実施形態の小窓７の１２時方向に位置標識７ｄが設けられ、また、図１０（ｂ）に示すように、回転板１８２の３枚の羽形１８ａには、それぞれ、異なる標識１８ｄが設けられている。上述のように、エリア標識７ａの露出率に応じた表示を行う場合には、３か所の間隙１８ｂと３つのエリア標識７ａとの組み合わせ、すなわち、標識１８ｄの位置を考慮せずに表示が行われる。一方で、標識１８ｄと位置標識７ｄとの位置をそろえることで、いずれかの標識１８ｄを指示させることができる。このように、電子時計１には、３６０度の包囲を考慮する表示と１２０度ごとの３周期（３つ）のいずれでもよい表示とを併用可能な表示部が設けられていてもよい。
【００６６】
図１１は、変形例４の周期パターンの表示に係る構成を説明する図である。
この変形例４では、図１１（ａ）に示すように、文字盤３の小窓７に設けられた開口部３ｄが６０度の間隔で設けられた２つの６０度の円弧形状を有し、当該文字盤３の下面側で回転する回転板１８３のうち当該開口部３ｄに対応する範囲が選択的に露出される。回転板１８３は、図１１（ｂ）に示すように、５／６円（３００度）の円弧形状であり、１２０度ごとに６０度の範囲に図形パターン１８３ａが３つ設けられている。回転板１８３は、３００度の範囲で往復移動する。このような形状や動作範囲であっても、適宜回転移動の方向を反転させて、上記実施形態と同様の表示を行うことができる。
【００６７】
以上のように、本実施形態の電子時計１は、回転可能な回転板１８を有し、当該回転板１８の回転角度範囲である３６０度内で１２０度（所定の角度）ごとに、所定の割合部分がそれぞれ露出されて各々同一の表示内容を並列に表示するエリア標識７ａが３個設けられ、回転板１８の回転に応じて表示されて、エリア標識７ａの露出率を０％から１００％に上げた後に０％に戻す表示パターンを３回（２以上の所定数回）周期的に出現させる第１の表示部（回転板１８及び小窓７）と、制御部４０ａ（ＣＰＵ４１及びＲＡＭ４２）と、を備える。制御部４０ａは、表示パターン内に含まれるいずれかの表示内容（露出率）の表示を行わせる場合に、３回の表示パターンの各々における表示内容に応じた回転位置のうちいずれかを選択して、当該選択された回転位置へ回転板１８を回転動作させる。
このように、回転板１８の回転範囲に対して３周期分のエリア標識７ａが設けられることで、表示動作によって３か所で同時に同一の結果を表示するように変化する。したがって、電子時計１では、より分かりやすい表示を行うことができる。
【００６８】
また、３つの表示パターンに応じたエリア標識７ａが３つ１２０度ごとに周期的に設けられた小窓７を備え、回転板１８は、３つの表示パターンの各々における同一の位相範囲に係るエリア標識７ａとそのエリア標識外とを選択的に表示させる間隙１８ｂを有する。
このように１２０度ごとに３つ設けられた間隙１８ｂを有する回転板１８の回転動作により、対応する３つのエリア標識７ａの露出率がそろって変化するので、露出率に応じた情報がより大掛かりに表示され、ユーザがより体感的に表示内容を知得することができる。
【００６９】
また、反対に、変形例１のように、３つの表示パターン（図形パターン１８１ａ及びその隙間）の表示間隔に応じて１２０度間隔で設けられた開口部３ｂを有する小窓７を備え、回転板１８１は、図形パターン１８１ａが３つ１２０度ごとに周期的に設けられたものであり、制御部４０ａは、回転板１８１と小窓７（開口部３ｂ）との相対位置関係に応じて所望の表示内容の表示を行わせる。
このように、エリア標識７ａと間隙１８ｂ（開口部３ｂ）とで回転する構成と固定される構成とが入れ替えられても、同様の表示を同一の効果を伴って行わせることができる。
【００７０】
また、小窓７の開口部３ｂは、回転板１８における３つの図形パターン１８１ａ及びその隙間の各々における同一の位相範囲を選択的に表示させる。このように、必要な部分を選択的に露出させることで、表示状態の変化をより見やすくかつより効果的にユーザに示すことができる。
【００７１】
また、電子時計１は、回転可能に設けられた副指針１５〜１７の回転位置に応じた内容の表示を行う第２の表示部（当該副指針１５〜１７及び小窓５）を備える。制御部４０ａは、第２の表示部による表示内容のうち周期的に変化する少なくとも一部、ここでは分値の２周期分（１２０分）を回転板１８に係る第１の表示部による表示パターンの一周期（回転板１８の１２０度の回転動作）に対応付けて当該第１の表示部により表示させる。
このように、実際に副指針１５〜１７を用いて正確な数値を読み取り可能に示す動作と同時に、回転板１８を用いた第１の表示部による上述の表示状態の変化を行わせることで、表示内容の変更時に単なる指針の移動先への移動だけではなく、視覚効果を伴ったより大掛かりで見やすい表示を行わせることができる。また、この電子時計１では、よりダイナミックな表示動作を行わせることができる。また、指針で正確な情報を読み取る必要がない場合には、露出率によってより体感的に表示内容の概略を容易にユーザが知得することができる。
【００７２】
また、制御部４０ａは、副指針１５〜１７を含む第２の表示部により世界時計に係る時刻やストップウォッチの計測時間などの所定の計数時間に応じた表示を行わせる場合に、当該表示の内容のうち少なくとも一部（分値）と対応する表示を回転板１８による第１の表示部により行わせる。このように、時間経過に応じて周期的に変化する表示を回転板１８の回転動作により副指針１５〜１７とともに行わせることで、経過時間をより体感的にユーザが知得することができる。
【００７３】
また、所定の計数時間には、予め定められた地域での時刻（地方時）が含まれる。すなわち、積極的にストップウォッチ機能やタイマ機能などを利用していない場合でも日常的に回転板１８の回転動作に伴う露出率の変化が示されるので、時刻経過に係る表示の変化状況をユーザにより容易に視認させることができる。
【００７４】
また、制御部４０ａは、副指針１５〜１７を含む第２の表示部による表示の内容の変更動作に応じて回転板１８を含む第１の表示部による表示の内容の変更動作を行わせ、回転板１８の当該変更動作に要する時間が副指針１５〜１７による表示内容の変更動作に要する時間より長い場合には、第２の表示部による表示内容の変更終了の前後で回転板１８の回転動作の速度を変化させる。
このように、表示動作の時間を大幅に長くしない範囲において回転板１８の動作に更に変化をつけることによって表示動作をよりダイナミックに行って、単調さを低減させることができる。
【００７５】
また、制御部４０ａは、回転板１８を含む第１の表示部による表示内容に応じた３つのエリア標識７ａをそれぞれ含む表示パターンの各々における回転位置のうち、回転板１８が現在の回転位置から予め定められた回転方向で最先に到達する回転位置に当該回転板１８を回転動作させる。
このように、回転板１８を３分割したそれぞれにおいて表示内容に対応して含まれる回転位置のうち、直近の位置に移動させることで、変更動作の時間を必要以上に長引かせない。また、回転方向を予め定めておくことで、不ぞろい感を低減させることができる。
【００７６】
また、回転板動作制御処理の他の例で示したように、制御部４０ａは、回転板１８を、副指針１５〜１７を含む第２の表示部の表示内容の変更動作に係るこれら副指針１５〜１７の回転方向とは反対向きの回転方向で、当該回転板１８が現在の回転位置から最先に到達する回転位置に回転動作させる。
このように、隣り合う小窓５、７内で、同時に回転する回転板１８及び副指針１５〜１７の回転方向を互いに逆方向とさせることで、噛み合った歯車の回転をイメージさせるダイナミックな動作を行わせて、表示状態やその変更動作の簡素さ、単調さをより効果的に低減させることができる。
【００７７】
なお、本発明は、上記実施の形態に限られるものではなく、様々な変更が可能である。
例えば、上記実施の形態では、回転板１８、１８１、１８２などを基準となる固定部（小窓７）に対して回転動作させることとしたが、回転板と開口部などとをいずれも回転動作させて相対的に位置変化させてもよい。
【００７８】
また、上記実施の形態では、円盤状の回転板１８、１８１、１８２や円弧状の回転板１８３を例に挙げて説明したが、外周部が円周状の形状のものに限られない。文字盤３上に配置可能でありかつ周期的な表示が適切に可能である限りにおいて、他の形状を有していてもよい。
【００７９】
また、上記実施の形態では、単純にエリア標識７ａや図形パターン１８１ａとこれら以外の領域とに分割したが、１周期内が３つ以上の領域に分割されていてもよいし、グラデーションなどを含んで形成されていてもよいし、あるいは、より複雑な図形、模様や文字標識などが設けられていてもよい。
【００８０】
また、上記実施の形態では、計数時間の変更に係る表示及びアラームの設定オンオフの変更についての変更動作について説明したが、その他の表示、例えば、物理センサを用いた計測値の表示、又は通信手段や電波受信手段などによる動作やその設定などが回転板１８を用いて表示されてもよい。
【００８１】
また、上記実施の形態では、副指針１５〜１７の指示位置の変更動作に合わせて回転板１８を回転動作させることとしたが、他の指針に連動させてもよい。また、バッテリ７１の残量についての表示は、他の指針による表示と連動させないこととして説明したが、他の指針、例えば、秒針１１などにより同一の表示を合わせて行わせることとして、全ての表示を回転板１８単独では行わせないこととしてもよい。
【００８２】
また、上記実施の形態では、経過時間の１２０分に応じて回転板１８による表示を１周期分変化させることとしたが、これに限られない。６０分であってもよいし、計数時間の種別に応じて秒単位での変化とさせてもよい。
【００８３】
また、上記実施の形態では、連動する副指針１５〜１７の移動動作の終了前後でのみ回転板１８の回転速度を変化させることとしたが、それ以外でも回転速度を変化させてよい。例えば、回転板１８が移動先の回転位置に到達する直前に回転速度を漸減させてもよい。
【００８４】
また、上記実施の形態では、回転方向を一律又は連動する副指針１５〜１７の回転方向などに応じて予め定めることとしたが、予め定めないこととしてもよい。例えば、単純に最も早く移動先の回転位置に到達する方向に回転板１８を回転させてもよいし、副指針１５〜１７と略同一の時間で到達する位置及び方向を選択して回転させてもよい。
【００８５】
また、上記実施の形態及び各種変形例に係る構成は、互いに矛盾しない限りにおいて任意に組み合わせて用いることが可能である。
その他、上記実施の形態で示した構成、制御手順や表示例などの具体的な細部は、本発明の趣旨を逸脱しない範囲において適宜変更可能である。
【００８６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８７】
［付記］
＜請求項１＞
回転可能な第１の可動部を有し、当該第１の可動部の回転角度範囲内で所定の角度ごとに同一の表示内容が２以上の所定数個並列に表示されて、当該表示内容が前記第１の可動部の回転に応じて変化する表示パターンを当該第１の可動部の回転に応じて前記所定数回周期的に出現させる第１の表示部と、
制御部と、
を備え、
前記制御部は、前記表示パターン内に含まれるずれかの前記表示内容の表示を行わせる場合に、前記所定数回の前記表示パターンの各々における前記表示内容に応じた回転位置のうちいずれかを選択して、当該選択された回転位置へ前記第１の可動部を回転動作させる
ことを特徴とする電子時計。
＜請求項２＞
前記表示パターンに応じた標識が前記所定数周期的に設けられた固定部を備え、
前記第１の可動部は、前記所定数回の前記表示パターンの各々における同一の位相範囲に係る前記標識を選択的に表示させる選択表示部を有する
ことを特徴とする請求項１記載の電子時計。
＜請求項３＞
前記表示パターンの表示間隔に応じた間隔で設けられた選択指示部を有する固定部を備え、
前記第１の可動部は、前記表示パターンに応じた標識が前記所定数周期的に設けられた回転板であり、
前記制御部は、前記第１の可動部と前記選択指示部との相対位置関係に応じて定まる前記表示内容の表示を行わせることを特徴とする請求項１記載の電子時計。
＜請求項４＞
前記選択指示部は、前記回転板における前記所定数回の前記表示パターンの各々における同一の位相範囲に係る前記標識を選択的に表示させることを特徴とする請求項３記載の電子時計。
＜請求項５＞
回転可能に設けられた第２の可動部の回転位置に応じた内容の表示を行う第２の表示部を備え、
前記制御部は、前記第２の表示部による表示内容のうち周期的に変化する少なくとも一部の所定周期を前記第１の表示部による前記表示パターンの一周期に対応付けて当該第１の表示部により表示させる
ことを特徴とする請求項１〜４のいずれか一項に記載の電子時計。
＜請求項６＞
前記制御部は、前記第２の表示部により所定の計数時間に応じた表示を行わせる場合に、当該表示の内容のうち少なくとも一部と対応する表示を前記第１の表示部により行わせることを特徴とする請求項５記載の電子時計。
＜請求項７＞
前記所定の計数時間には、予め定められた地域での時刻が含まれることを特徴とする請求項６記載の電子時計。
＜請求項８＞
前記制御部は、前記第２の表示部による表示の内容の変更動作に応じて前記第１の表示部による表示の内容の変更動作を行わせ、前記第１の可動部の当該変更動作に要する時間が前記第２の表示部による表示内容の変更動作に要する時間より長い場合には、前記第２の表示部による表示内容の変更終了の前後で前記第１の可動部の回転動作の速度を変化させることを特徴とする請求項５〜７のいずれか一項に記載の電子時計。
＜請求項９＞
前記制御部は、前記第１の表示部による表示内容に応じた前記所定数回の前記表示パターンの各々における回転位置のうち、前記第１の可動部が現在の回転位置から予め定められた回転方向で最先に到達する回転位置に当該第１の可動部を回転動作させることを特徴とする請求項１〜８のいずれか一項に記載の電子時計。
＜請求項１０＞
前記制御部は、前記第１の表示部による表示内容に応じた前記所定数回の前記表示パターンの各々における回転位置のうち、前記第２の表示部の表示内容の変更動作に係る前記第２の可動部の回転方向とは反対向きの回転方向で、前記第１の可動部が現在の回転位置から最先に到達する回転位置に当該第１の可動部を回転動作させることを特徴とする請求項５〜８のいずれか一項に記載の電子時計。
【符号の説明】
【００８８】
１     電子時計
２     フレーム
３     文字盤
３ａ〜３ｄ    開口部
４〜７ 小窓
７ａ   エリア標識
７ｄ   位置標識
１１   秒針
１２   分針
１３   時針
１４   機能針
１５   副分針
１６   副時針
１７   副２４時間針
１８、１８１〜１８３ 回転板
１８ａ 羽形
１８ｂ 間隙
１８ｄ 標識
１８１ａ、１８３ａ   図形パターン
１９   日車
３０   バス
４０   マイコン
４１   ＣＰＵ
４２   ＲＡＭ
４２１ 地方時設定
４３   発振回路
４４   分周回路
４５   計時回路
４６   ＲＯＭ
４６１ プログラム
４７   操作受付部
４８   報知動作部
５０   モータ駆動回路
５１〜５５    ステッピングモータ
６１〜６５    輪列機構
７０   電力供給部
７１   バッテリ
Ｂ１〜Ｂ４    押しボタンスイッチ
Ｃ１   りゅうず
【図１】
2019052881.tif 000003
【図２】
2019052881.tif 000004
【図３】
2019052881.tif 000005
【図４】
2019052881.tif 000006
【図５】
2019052881.tif 000007
【図６】
2019052881.tif 000008
【図７】
2019052881.tif 000009
【図８】
2019052881.tif 000010
【図９】
2019052881.tif 000011
【図１０】
2019052881.tif 000012
【図１１】
2019052881.tif 000013